(57)【要約】【課題】１２セグ地上デジタル放送のシーンチェンジ点を高い精度で検出することができるデジタル放送受信再生装置及びデジタル放送受信再生方法を提供する。【解決手段】  デジタル放送受信再生装置は、ワンセグメント放送の画像のシーンチェンジ点を検出する第１のシーンチェンジ点検出部と、１２セグメント放送の画像のシーンチェンジ点を検出する第２のシーンチェンジ点検出部と、ワンセグメント放送と１２セグメント放送との再生時刻の放送時間の差を同期時間として求める同期時間検出部と、ワンセグメント放送の画像のシーンチェンジ点に同期する１２セグメント放送の画像のシーンチェンジ点が存在しない場合に、同期する１２セグメント放送のピクチャをシーンチェンジ点とさせる制御部とを有する。【選択図】図１
2011217185.tif 000002
【特許請求の範囲】
【請求項１】
ワンセグメント放送と、１２セグメント放送とを含む地上デジタル放送の放送波を受信する受信手段と、
前記ワンセグメント放送の映像データから、イントラピクチャの出現周期と異なるイントラピクチャを検出することで、前記ワンセグメント放送の画像のシーンチェンジ点を検出する第１のシーンチェンジ点検出部と、
前記１２セグメント放送の映像データから、イントラピクチャの出現周期と異なるイントラピクチャを検出することで、前記１２セグメント放送の画像のシーンチェンジ点を検出する第２のシーンチェンジ点検出部と、
前記ワンセグメント放送と、前記１２セグメント放送との放送時間差を同期時間として求める同期時間検出部と、
前記同期時間に基づいて前記ワンセグメント放送の画像のシーンチェンジ点に同期する前記１２セグメント放送の画像のシーンチェンジ点が存在しない場合に、前記ワンセグメント放送の画像のシーンチェンジ点に同期する前記１２セグメント放送の前記ピクチャを前記１２セグメント放送の画像のシーンチェンジ点として前記第２のシーンチェンジ点検出部に検出させる制御部と
を有することを特徴とするデジタル放送受信再生装置。
【請求項２】
前記制御部は、前記同期時間に基づいて前記１２セグメント放送の画像のシーンチェンジ点に同期する前記ワンセグメント放送の画像のシーンチェンジ点が存在しない場合に、前記１２セグメント放送の画像のシーンチェンジ点をシーンチェンジ点としないことを特徴とする請求項１記載のデジタル放送受信再生装置。
【請求項３】
前記第１のシーンチェンジ点検出部は、前記ワンセグメント放送の前記符号化された映像データにおけるイントラピクチャの出現周期を検出しその出現周期が定められた周期より短くなったときにそのイントラピクチャをシーンチェンジ点とすることを特徴とする請求項１または請求項２記載のデジタル放送受信再生装置。
【請求項４】
前記第２のシーンチェンジ点検出部は、前記１２セグメント放送の前記符号化された映像データにおけるイントラピクチャの出現周期を検出しその出現周期が定められた周期より短くなったときにそのイントラピクチャをシーンチェンジ点とすることを特徴とする請求項１または請求項２記載のデジタル放送受信再生装置。
【請求項５】
前記符号化された映像データとシーンチェンジ点のデータを記録する記録装置を有することを特徴とする請求項１乃至請求項４記載のデジタル放送受信再生装置。
【請求項６】
ワンセグメント放送と、１２セグメント放送とを含む地上デジタル放送の放送波を受信する受信ステップと、
前記ワンセグメント放送の映像データから、イントラピクチャの出現周期と異なるイントラピクチャを検出することで、前記ワンセグメント放送の画像のシーンチェンジ点を検出する第１のシーンチェンジ点検出ステップと、
前記１２セグメント放送の映像データから、イントラピクチャの出現周期と異なるイントラピクチャを検出することで、前記１２セグメント放送の画像のシーンチェンジ点を検出する第２のシーンチェンジ点検出ステップと、
前記ワンセグメント放送と、前記１２セグメント放送との放送時間差を同期時間として求める同期時間検出ステップと、
前記同期時間に基づいて前記ワンセグメント放送の画像のシーンチェンジ点に同期する前記１２セグメント放送の画像のシーンチェンジ点が存在しない場合に、前記ワンセグメント放送の画像のシーンチェンジ点に同期する前記１２セグメント放送の前記ピクチャを前記１２セグメント放送の画像のシーンチェンジ点として前記第２のシーンチェンジ点検出部に検出させる制御ステップと
を有することを特徴とするデジタル放送受信再生方法。
【請求項７】
前記制御ステップにおいて、前記同期時間に基づいて前記１２セグメント放送の画像のシーンチェンジ点に同期する前記ワンセグメント放送の画像のシーンチェンジ点が存在しない場合に、前記１２セグメント放送の画像のシーンチェンジ点をシーンチェンジ点としないことを特徴とする請求項５記載のデジタル放送受信再生方法。
【発明の詳細な説明】
【技術分野】
【０００１】
本発明の実施形態は、デジタル放送を受信した番組を再生したり記録することが可能なデジタル放送受信再生装置及びデジタル放送受信再生方法に関する。
【背景技術】
【０００２】
従来、デジタル放送の番組放送における映像信号を再生あるいは記録する際に、シーンチェンジのピクチャを検出して、その情報を映像信号と関連付けて記録しておき、番組のサーチに利用したり番組を把握するための静止画像やサムネイル映像を作成するために利用されている。
【０００３】
シーンチェンジ点の検出は、映像信号を解析し映像信号の中の境界ポイントを検出することにより行われている。例えば、映像信号に含まれる複数のフレーム間の類似度の解析結果に基づきシーンチェンジ点を検出し、つまり、似たようなフレームが連続している場合にはシーンチェンジは無いと判断し、異なるフレームが繋がっているポイントをシーンチェンジ点と判断する。或いは、映像情報に含まれる複数のフレームの輝度信号の解析結果に基づきシーンチェンジ点を検出する。
【０００４】
しかし上記のような方法では、シーンチェンジ点を検出する場合には、シーンチェンジ点の検出のための演算量が大きくなるため、Ｉピクチャの出現周期を検出し、これが定められた周期より短くなったとき、そのときのＩピクチャをシーンチェンジ点とすることが考案されている（例えば特許文献１参照。）。
【先行技術文献】
【特許文献】
【０００５】
【特許文献１】特開２００２−１０２５４号公報
【発明の概要】
【発明が解決しようとする課題】
【０００６】
地上デジタル放送における１２セグ（１２セグメント）放送では映像符号化方式としてＭＰＥＧ（Moving Picture Experts Group）２方式が採用されている。ピクチャの符号化方式には単一のピクチャだけで符号化する画面内符号化と呼ばれるものと、近接したピクチャとの差分の情報を用いて符号化する画面間符号化と呼ばれるものがある。前者はＩピクチャ、後者はＰピクチャまたはＢピクチャと呼ばれる。
【０００７】
符号化された映像信号を復号するためにはまずＩピクチャから復号する必要があるため、地上デジタル放送では周期的にＩピクチャを挿入することが運用規定として定められている。Ｉピクチャの出現周期の内部にシーンチェンジ点が存在する場合は、Ｉピクチャの出現間隔が異なるため、Ｉピクチャの出現間隔の変動を監視することでシーンチェンジ点を検出することができる。
【０００８】
しかしながら、Ｉピクチャの周期とシーンチェンジ点が一致する場合には、シーンチェンジ点が検出できないという問題がある。また、周期が異なるＩピクチャであるにも拘らず、シーンチェンジ点ではないＩピクチャが存在する。このため、Ｉピクチャが出現する周期の変動を監視するだけでは、正確にシーンチェンジ点を検出することができないという問題がある。
【０００９】
また、シーンチェンジ点であるにも拘らず、Ｉピクチャが挿入されない場合もある。つまり、ＰピクチャまたはＢピクチャがシーンチェンジ点となる場合がある。このような場合には、Ｉピクチャが出現する周期の変動を監視するだけでは、シーンチェンジ点を検出することができない。また、ＰピクチャやＢピクチャがシーンチェンジ点の場合は符号量の変化を監視しなくてはならない。
【００１０】
本発明は上記したような事情に鑑み成されたものであって、１２セグ地上デジタル放送のシーンチェンジ点を高い精度で検出することができるデジタル放送受信再生装置及びデジタル放送受信再生方法を提供することを目的とする。
【課題を解決するための手段】
【００１１】
上記目的を達成するために、実施形態のデジタル放送受信再生装置は、ワンセグメント放送と、１２セグメント放送とを含む地上デジタル放送の放送波を受信する受信手段と、前記ワンセグメント放送の映像データから、イントラピクチャの出現周期と異なるイントラピクチャを検出することで、前記ワンセグメント放送の画像のシーンチェンジ点を検出する第１のシーンチェンジ点検出部と、前記１２セグメント放送の映像データから、イントラピクチャの出現周期と異なるイントラピクチャを検出することで、前記１２セグメント放送の画像のシーンチェンジ点を検出する第２のシーンチェンジ点検出部と、前記ワンセグメント放送と、前記１２セグメント放送との放送時間差を同期時間として求める同期時間検出部と、前記同期時間に基づいて前記ワンセグメント放送の画像のシーンチェンジ点に同期する前記１２セグメント放送の画像のシーンチェンジ点が存在しない場合に、前記ワンセグメント放送の画像のシーンチェンジ点に同期する前記１２セグメント放送の前記ピクチャを前記１２セグメント放送の画像のシーンチェンジ点として前記第２のシーンチェンジ点検出部に検出させる制御部とを有する。
【図面の簡単な説明】
【００１２】
【図１】デジタル放送受信再生装置の実施の形態の構成を示したブロック図。
【図２】複数種類のピクチャとして符号化された映像データの構成を示した図。
【図３】Ｉピクチャの出現周期の内部にシーンチェンジ点が出現した例を示した図。
【図４】シーンチェンジ点がＩピクチャの出現周期と一致した場合を示した図。
【図５】シーンチェンジ点検出処理の動作手順を示したフローチャート。
【発明を実施するための形態】
【００１３】
以下実施の形態について図面を参照しながら説明する。図１は、デジタル放送受信再生装置１の実施の形態の構成を示したブロック図である。アンテナ２は、放送局２９から送信された放送電波を受信するための地上デジタル放送あるいは衛星デジタル放送用のアンテナである。
【００１４】
チューナ３は、１２セグ放送とサイマル放送されているワンセグ放送による地上デジタル放送あるいは衛星デジタル放送の放送信号の中から所望のチャンネルの放送信号を選局し、受信した放送電波の映像信号、音声信号を復調しＭＰＥＧ−ＴＳ（Transport Stream）に復調する。チューナ３は、複数のチューナユニットから構成されており、同時に複数の放送を受信することができる。
【００１５】
多重分離処理部４は、１２セグＭＰＥＧ−ＴＳ(ハイビジョン地上デジタル放送に相当)６とワンセグＭＰＥＧ−ＴＳ（携帯機器向け地上デジタル放送に相当）に分離する。
【００１６】
デコード処理部５は、ＭＰＥＧデコーダ、映像音声デコーダ等の機能を有する。デコード処理部５は、多重分離処理部４から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理部５は、記録装置１８からの再生データをデコードする。
【００１７】
重畳処理部６は、デコード処理部５からの映像データと、バス１２を介して転送されるデータ放送やＧＵＩ（Graphical User Interface)制御部２７によるウィンドウ描画をプレーン管理して、映像データとの重ね合わせを行い、映像処理部７に送る。
【００１８】
映像処理部７は、表示装置８で表示可能なフォーマット（画素数、フレーム周波数、走査方式）に変換したり、表示色を任意に調整したりして、表示装置８に出力して映像を画面９に表示させる。
【００１９】
音声処理部１０は、デコード処理部５から伝送されたデジタルの音声データを、スピーカ１１で再生可能なアナログ音声信号に変換した後、スピーカ１１に出力して音声を再生させる。
【００２０】
デジタル放送受信再生装置１は、上記した受信動作を含むその全ての動作を制御部１３によって統括的に制御されている。制御部１３はＭＰＵ（Micro Processing Unit）１４が搭載されており、バス１２を介して接続された各構成要素を制御する。
【００２１】
ＲＡＭ（Random Access Memory）１５は、制御部１３のデータ処理に必要な各種データを格納するリード／ライトメモリであり、映像データ等を格納するバッファメモリとして動作する。ＲＯＭ（Read Only Memory）１６は読出し専用メモリであり、ＭＰＵ１４が実行する制御のプログラムなどを格納している。
【００２２】
フラッシュメモリ１７は、書き換え可能であり、電源を切ってもデータが消えない不揮発性の半導体メモリである。フラッシュメモリ１９は、録画番組情報、録画予約情報等を記憶する機能を有する。
【００２３】
記録装置１８は、ＨＤＤ（Hard Disk Drive）、ＳＳＤ（Solid State Drive）或いはＯＤＤ（Optical Disc Drive）等を含む記録装置である。記録装置１８には記録装置に情報を記録再生するためのエンコーダとデコーダが搭載されており、該エンコーダとデコーダを介して１２セグまたはワンセグのＭＰＥＧ−ＴＳデータが変調されＨＤＤ、ＳＳＤ或いはＯＤＤに記録し、また再生する。再生データは、デコード処理部５でデコードされる。
【００２４】
外部インターフェース１９は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）、ＳＤ（Secure Digital）（登録商標）メモリカード等のインターフェースであり、ＵＳＢメモリやＵＳＢ外部機器、ＳＤメモリカード、ＨＤＤ、ＳＳＤ、ＣＤ−Ｒ／ＲＷ、ＤＶＤライター等のドライブ類を含む外部記憶装置２０が接続される。外部インターフェース１９を介して外部記憶装置２０に放送番組を記録することができる。番組を記録装置１８または外部記憶装置２０のどちらに記録するかをユーザが選択できる。
【００２５】
操作受信部２１は、操作機器２２から送信される操作信号を受信し、制御部１３に転送する。操作機器２２は、例えば、赤外線あるいはBluetooth等による無線通信を利用したリモコン（リモートコントローラ、remote controller）、有線式あるいは無線式キーボード等であり、操作信号を送出する。操作受信部２１は、そのリモコン、キーボード等から操作信号を受信する。
【００２６】
デジタル放送受信再生装置１は、送受信部２３を介してインターネット等のネットワーク３０に接続されている。これにより、デジタル放送受信再生装置１は、ネットワーク３０上にあるサーバ３１等の機器と送受信部２３を介して情報伝送を行なうことができる。
【００２７】
制御部１３は、第１シーンチェンジ検出部２４、第２シーンチェンジ検出部２５、同期時間検出部２６の機能を有する。これらの機能は、制御部１３のＭＰＵ１４が実行するアプリケーションであり、通常はＲＯＭ１６に格納されており、使用時にはＭＰＵ１４によって読み出され実行される。
【００２８】
第１シーンチェンジ検出部２４は、サイマル放送されているワンセグメント放送の複数種類のピクチャとして符号化された映像データから、ワンセグメント放送の画像のシーンチェンジ点を検出する。検出されたシーンチェンジ点はＲＡＭ１５に一時的に記録される。
【００２９】
第２シーンチェンジ検出部２５は、１２セグメント放送の複数種類のピクチャとして符号化された映像データから、１２セグメント放送の画像のシーンチェンジ点を検出する。検出されたシーンチェンジ点はＲＡＭ１５に一時的に記録される。
【００３０】
同期時間検出部２６は、１２セグメント放送とサイマル放送されたワンセグメント放送との放送時間の時間差を検出し同期時間を算出する。デジタル放送では送信側と受信側の基準時間の同期を確立する必要があり、基準時間の校正データはＰＣＲ（Program Clock Reference）と呼ばれ、ＭＰＥＧ−ＴＳに含まれている。同期時間検出部２６は、多重分離処理部４より伝送された１２セグ放送のＭＰＥＧ−ＴＳのＰＣＲとワンセグ放送のＭＰＥＧ−ＴＳのＰＣＲの時間の差分を計算して、１２セグ放送のＭＰＥＧ−ＴＳとワンセグ放送のＭＰＥＧ−ＴＳの放送時間の基準時間がどれだけずれているかを検出し、同期時間Ｔを算出する。
【００３１】
制御部１３は、ＧＵＩ制御部２７の機能を有する。ＧＵＩ制御部２７は、ＧＵＩデータを生成し、生成されたＧＵＩデータはバス１２を介して重畳処理部６へ送信される。重畳処理部６に送付されたＧＵＩデータは、映像データに重畳処理されたり、或いはＧＵＩ単独画面として処理され、映像処理部７へ伝送され画面８に表示される。
【００３２】
図２は、地上デジタル放送の複数種類のピクチャとして符号化された映像データの構成を示した図である。図２（ａ）は、１２セグ地上デジタル放送における映像データの構成であり、図２（ｂ）は、ワンセグ地上デジタル放送における映像データの構成である。１２セグ地上デジタル放送では映像符号化方式としてＭＰＥＧ２、ワンセグではＨ．２６４が採用されている。
【００３３】
ピクチャの符号化方式には単一のピクチャだけで符号化する画面内符号化と呼ばれるものと、近接したピクチャとの差分の情報を用いて符号化する画面間符号化と呼ばれるものがある。前者はＭＰＥＧ２の場合にはIピクチャ（Intra Picture）、Ｈ．２６４の場合にはＩＤＲピクチャ（Instantaneous Decoding Refresh Picture）と呼ばれ、後者はＭＰＥＧ２の場合にはＰピクチャ（Predictive Picture）またはＢピクチャ（Bidirectionally Predictive Picture）、Ｈ．２６４の場合にはｎｏｎ−ＩＤＲピクチャと呼ばれる。ここでは便宜上ＩＤＲピクチャもIピクチャと呼ぶことにする。図２（ｂ）において、ｎｏｎ−ＩＤＲピクチャをＮピクチャとして表している。
【００３４】
符号化された映像信号を復号するためにはまずIピクチャから復号する必要がある。そのため地上デジタル放送では周期的にIピクチャを挿入することがＡＲＩＢ規格の運用規定として定められている。
【００３５】
１２セグのＩピクチャの出現周期は日本ではＡＲＩＢ規格（ARIB-STD B32）の運用規定により０．５秒となっている。フレームレートが３０フレーム／秒であるので、１５フレーム毎にＩピクチャが出現する。
【００３６】
ワンセグのIピクチャの出現周期は日本ではＡＲＩＢ規格（ARIB TR-B14）の運用規定より通常２秒（最大５秒)となっている。２秒の場合、例えばフレームレートが１５フレーム／秒であると３０フレーム毎にＩピクチャが出現する。
【００３７】
映像の場面が切り替わる部分をシーンチェンジと呼ぶが、シーンチェンジ点では前のピクチャとの相関が低くなるため、画面内符号化が行われることが多い。従って、シーンチェンジ点ではＩピクチャが挿入されることが多い。Ｉピクチャの出現周期の内部にシーンチェンジ点が存在する場合は、Ｉピクチャの出現間隔が異なるため、Ｉピクチャの出現間隔の変動を監視することでシーンチェンジ点を検出することができる。
【００３８】
第１シーンチェンジ検出部２４は、ワンセグメント放送の複数種類のピクチャとして符号化された映像データから、Ｉピクチャの出現間隔の変動を監視することで、ワンセグメント放送の画像のシーンチェンジ点を検出する。第２シーンチェンジ検出部２５は、１２セグメント放送の複数種類のピクチャとして符号化された映像データから、Ｉピクチャの出現間隔の変動を監視することで１２セグメント放送の画像のシーンチェンジ点を検出する。
【００３９】
図３は、Ｉピクチャの出現周期の内部にシーンチェンジ点が出現した例を示した図である。図３において、１２セグ放送のＡで示したフレームは、Ｉピクチャであり、Ｂで示した一つ前のＩピクチャから９フレーム目である。従って第２シーンチェンジ検出部２５は、Ａで示したフレームをシーンチェンジ点と判定する。
【００４０】
図３において、ワンセグ放送のＣで示したフレームは、Ｉピクチャであり、Ｄで示した一つ前のＩピクチャから１３フレーム目である。従って第１シーンチェンジ検出部２４は、Ｃで示したフレームをシーンチェンジ点と判定する。
【００４１】
同期時間検出部２６によって算出された同期時間Ｔから、同じシーンチェンジ点であることが分かると、１２セグ放送のＰＴＳ（Presentation Time Stamp）値とワンセグ放送のＰＴＳ値の対応の関係が分かる。つまり、１２セグ放送のあるＰＴＳ値を持つピクチャがワンセグ放送のどのＰＴＳ値を持つピクチャに相当するのかを判別できるようになる。
【００４２】
図４は、シーンチェンジ点がＩピクチャの出現周期と一致した場合を示した図である。Ｉピクチャの出現間隔の変動を監視することで１２セグメント放送の画像のシーンチェンジ点を検出する場合には、シーンチェンジ点がＩピクチャの出現周期と一致した場合には、シーンチェンジ点が検出できないという問題が生じる。例えば、図４において、Ｆ、Ｇ、Ｈで示したフレームがシーンチェンジ点である場合には、周期的に出現するＩピクチャであると判定され、シーンチェンジとは判定されない。
【００４３】
しかしながらワンセグ放送の場合には、Ｉピクチャの出現周期が２秒であるため、Ｆ、Ｇ、Ｈに相当するピクチャがシーンチェンジ点であった場合に検出することができる。例えば、ワンセグ放送のＥで示したフレームがＩピクチャであった場合には、第１シーンチェンジ検出部２４は、Ｅで示したフレームをシーンチェンジ点と判定し、ＲＡＭ１５に記録する。制御部１３は、ワンセグ放送において登録されたシーンチェンジ点が１２セグ放送において対応するＰＴＳ値を持つフレームがシーンチェンジ点として登録されているか検査し、シーンチェンジ点として登録されていないならば、１２セグ放送のシーンチェンジ点として登録する。従って、Ｇで示したフレームがシーンチェンジ点として登録される。
【００４４】
以上のようにすることによって、第２シーンチェンジ検出部２５だけでは、検出できないシーンチェンジ点も検出することができ、１２セグ地上デジタル放送のシーンチェンジ点を高い精度で検出することができる。
【００４５】
検出されたシーンチェンジ点は、一時的にＲＡＭ１５に記録された後に記録装置１８に放送番組が記録されたときに放送番組の付加データとして記録装置１８に記録される。記録された番組が再生されるときにシーンチェンジ点として読み出され、チャプタ登録等に利用される。
【００４６】
図５は、シーンチェンジ点検出処理の動作手順を示したフローチャートである。Ｓ１１において、第２シーンチェンジ検出部２５は、１２セグメント放送の複数種類のピクチャとして符号化された映像データから、Ｉピクチャ間隔がＩピクチャ周期よりも小さいＩピクチャを抽出してシーンチェンジ点として検出し登録する。
【００４７】
Ｓ１２において、第１シーンチェンジ検出部２４は、ワンセグメント放送の複数種類のピクチャとして符号化された映像データから、Ｉピクチャ間隔がＩピクチャ周期よりも小さいＩピクチャを抽出してシーンチェンジ点として検出し登録する。
【００４８】
Ｓ１３において、同期時間検出部２６は、１２セグ放送のＭＰＥＧ−ＴＳのＰＣＲとワンセグ放送のＭＰＥＧ−ＴＳのＰＣＲの時間の差分を計算して、１２セグ放送のＭＰＥＧ−ＴＳとワンセグ放送のＭＰＥＧ−ＴＳの基準時間がどれだけずれているかを検出し、同期時間Ｔを算出する。１２セグのあるＰＴＳ値を持つピクチャがワンセグのどのＰＴＳ値を持つピクチャに相当するのかを判別できるようにする。
【００４９】
Ｓ１４において、制御部１３は、ワンセグ放送において登録されたシーンチェンジ点が１２セグ放送において対応するＰＴＳ値を持つフレームがシーンチェンジ点として登録されているかを判定する。シーンチェンジ点として登録されていないならばＳ１５へ移行し、登録されていればＳ１６へ移行する。
【００５０】
Ｓ１５において、制御部１３は、ワンセグ放送において登録されたシーンチェンジ点に対応するＰＴＳ値を持つフレームを１２セグ放送のシーンチェンジ点として登録する。１２セグ放送において、シーンチェンジ点がＩピクチャの出現周期と一致した場合、また、ＰピクチャやＢピクチャがシーンチェンジ点になっていることがあるが、第２シーンチェンジ検出部２５は検出できないので、第２シーンチェンジ検出部２５だけでは検出できないシーンチェンジ点も検出することができるようになる。
【００５１】
Ｓ１６において、制御部１３は、１２セグ放送において登録されたシーンチェンジ点がワンセグ放送において対応するＰＴＳ値を持つフレームがシーンチェンジ点として登録されているかを判定する。シーンチェンジ点として登録されていないならばＳ１７へ移行し、登録されていれば終了する。
【００５２】
Ｓ１７において、制御部１３は、１２セグ放送において登録されたシーンチェンジ点がワンセグ放送において対応するＰＴＳ値を持つフレームがシーンチェンジ点として登録されていない１２セグ放送のシーンチェンジ点をシーンチェンジ点としないようにする。ＲＡＭ１５から削除して終了する。１２セグ放送において、Ｉピクチャ間隔がＩピクチャ周期よりも小さいＩピクチャであってもシーンチェンジ点とならない場合があり、第２シーンチェンジ検出部２５は誤検出するので、第２シーンチェンジ検出部２５だけでは誤検出するシーンチェンジ点を削除できるようになる点で効果がある。
【００５３】
以上のように、第１シーンチェンジ検出部２４によるワンセグメント放送のシーンチェンジ点のデータによって、第２シーンチェンジ検出部２５による１２セグメント放送のシーンチェンジ点のデータを補完することにより、第２シーンチェンジ検出部２５が検出できないシーンチェンジ点も検出することができ、更に第２シーンチェンジ検出部２５が誤検出したシーンチェンジ点を削除できるようになり、１２セグ地上デジタル放送のシーンチェンジ点を高い精度で検出することができる。
【００５４】
またワンセグメントのシーンチェンジ点のデータを組み合わせることによって発生符号量を監視する必要がなく、シーンチェンジ点の検出の負荷を軽減することができる。
【００５５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００５６】
１  デジタル放送受信再生装置
２  アンテナ
３  チューナ
４  多重分離処理部
５  デコード処理部
６  重畳処理部
７  映像処理部
８  表示装置
９  画面
１０  音声処理部
１１  スピーカ
１２  バス
１３  制御部
１４  ＭＰＵ
１５  ＲＡＭ
１６  ＲＯＭ記憶部
１７  フラッシュメモリ
１８  記録装置
１９  外部インターフェース
２０  外部記憶装置
２１  操作受信部
２２  操作機器
２３  送受信部
２４  第１シーンチェンジ検出部
２５  第２シーンチェンジ検出部
２６  同期時間検出部
２７  ＧＵＩ制御部
２９  放送局
３０  ネットワーク
３１  サーバ
【図１】
2011217185.tif 000003
【図２】
2011217185.tif 000004
【図３】
2011217185.tif 000005
【図４】
2011217185.tif 000006
【図５】
2011217185.tif 000007